(57)【要約】      （修正有）【課題】外部からの強い衝撃に対してもゴルフヘッドカバーを守ることができ、動物、人物、漫画等の各種のキャラクターを適用しても重量感、質感に溢れた編み製のゴルフヘッドカバーを提供する。【解決手段】手編み縫いの頭部、両腕部、胴部、筒状部の各パーツを合わせてキャラクターを構成し、内部にヘッドとヘッドに続くシャフト先端部が収容可能なヘッド・シャフト収納空洞部を有する。ヘッド・シャフト収納空洞部の周囲部に袋部を形成し、その袋部内に柔軟材を封入する。【選択図】図１
0003157672.tif 000002
【実用新案登録請求の範囲】
【請求項１】
縫製のゴルフヘッドカバーにあって、内部にヘッドとヘッドに続くシャフト先端部が収容可能なヘッド・シャフト収納空洞部を有するとともに、このヘッド・シャフト収納空洞部の周囲部に柔軟材層を設けることを特徴とするゴルフヘッドカバー。
【請求項２】
柔軟材層が、周囲部に袋部を形成し、その袋部内に柔軟材を封入して構成されてなることを特徴とする請求項１記載のゴルフヘッドカバー。
【請求項３】
手編み縫いの頭部、両腕部、胴部、筒状下半身部の各パーツを合わせてキャラクターを構成し、内部にヘッドとヘッドに続くシャフト先端部が収容可能なヘッド・ヘッド収納空洞部を有するとともに、このヘッド・シャフト収納空洞部の周囲部に柔軟材層を設けることを特徴とするゴルフヘッドカバー。
【請求項４】
柔軟材層が、周囲部に袋部を形成し、その袋部内に柔軟材を封入して構成されてなることを特徴とする請求項３記載のゴルフヘッドカバー。
【請求項５】
縫製のゴルフヘッドカバーにあって、内部に少なくともヘッドが収容可能な収納空洞部を有するとともに、この収納空洞部の周囲部に柔軟材層を設けることを特徴とするゴルフヘッドカバー。
【考案の詳細な説明】
【技術分野】
【０００１】
本考案は、ゴルフヘッドカバーに関するものである。
【背景技術】
【０００２】
従前から機械編みのゴルフヘッドカバーは市販されているが、最近では、手編みのゴルフヘッドカバーも人気がある。たとえば、インターネットで「手編み」と「ゴルフヘッドカバー」のアンドでワード検索をすれば、種々の手編みのゴルフヘッドカバーがヒットする。単調なデザインになりがちな機械編みと異なり、複雑なデザインを手編みできるので、編んだ人の個性が発揮され、独特の趣を醸し出す作品も少なくない。
【０００３】
しかし、これまでに知られたゴルフヘッドカバーは編み糸だけで作られるものが大半であり、ゴルフヘッドカバーとしての機能は備えてはいるが、編み糸であるから強い衝撃が加えられるとゴルフヘッドに損傷を与えかねない欠点があった。
また、編み糸で作られたゴルフヘッドカバーは、太い編み糸を選んでも、全体として重量感、質感に欠き、キャラクターなどに応用しても不満があったものである。
【先行技術文献】
【特許文献】
【０００４】
【特許文献１】特開２００６−２１０３６号公報
【考案の概要】
【考案が解決しようとする課題】
【０００５】
解決しようとする問題点は、外部からの強い衝撃に対してもゴルフヘッドを守ることができ、かつ、動物、人物、漫画等の各種のキャラクターへ適用しても重量感、質感に溢れるものとなるゴルフヘッドカバーを提供することにある。
【課題を解決するための手段】
【０００６】
本考案は、縫製のゴルフヘッドカバー本体の内部にヘッドとヘッドに続くシャフト先端部が収容可能なヘッド・シャフト収納空洞部を有するとともに、このゴルフヘッドカバー本体内において、ヘッド・シャフト収納空洞部の周囲部に柔軟材層を設けるもので、柔軟材層は、周囲部に袋部を形成し、その袋部内に柔軟材を封入して構成されるようにしてもよい。
また本考案は、手編み縫いの頭部、両腕部、胴部、筒状部の各パーツを合わせてキャラクターを構成するゴルフヘッドカバー本体の内部に、ヘッドとヘッドに続くシャフト先端部が収容可能なヘッド・ヘッド収納空洞部を有するとともに、このゴルフヘッドカバー本体内において、ヘッド・シャフト収納空洞部の周囲部に柔軟材層を設けるもので、柔軟材層は、周囲部に袋部を形成し、その袋部内にウレタンフォームなどの柔軟材を封入して構成されるようにしてもよい。
【考案の効果】
【０００７】
本考案のゴルフヘッドカバーは、その内部に少なくともゴルフヘッドが収容可能な収納空洞部と、この収納空洞部の周囲部に柔軟材層を設けるものであるから、外部からの強い衝撃に対してもゴルフヘッドを守ることができる上に、動物、人物、漫画等の各種のキャラクターを適用しても重量感、質感に溢れ、さらに手編みとすれば複雑なパーツのキャラクターでも編むことができ編んだ人の個性が発揮され、独特の趣を醸し出すことができる。
【図面の簡単な説明】
【０００８】
【図１】図１は本考案に係るゴルフヘッドカバーを動物キャラクター（くま）に適用した実施の一例を示す概略正面図である。（実施例１）
【図２】図２は図１の両腕を省略した概略断面図である。
【図３】図３は実際の商品の図面代用写真である。
【図４】図４は本考案に係るゴルフヘッドカバーを動物キャラクター（くま）に適用した別の実施例を示す概略正面図である。（実施例２）
【図５】図５は本考案に係るゴルフヘッドカバーを動物キャラクター（うさぎ）に適用したその他の実施例を示す概略正面図である。（実施例３）
【図６】図６は図５の両腕を省略した概略断面図である。
【図７】図７は実際の商品の図面代用写真である。
【図８】図８は本考案に係るゴルフヘッドカバーを動物キャラクター（うさぎ）に適用したその他の実施例を示す概略正面図である。（実施例４）
【図９】図９は本考案に係るゴルフヘッドカバーを、ネクタイをしたうさぎキャラクターに適用した実際の商品の図面代用写真である。（実施例５）
【図１０】図１０は本考案に係るゴルフヘッドカバーを、ライオンキャラクターに適用した実際の商品の図面代用写真である。（実施例６）
【図１１】図１１は本考案に係るゴルフヘッドカバーを、くまキャラクターに適用した実際の商品の図面代用写真である。（実施例７）
【図１２】図１２は本考案に係るゴルフヘッドカバーをうさぎキャラクーに適用した実際の商品の図面代用写真である。（実施例８）
【図１３】図１３は本考案に係るゴルフヘッドカバーをピエロキャラクターに適用した概略断面図である。（実施例９）
【図１４】図１４は、図１３のゴルフヘッドカバー本体６１の概略正面図である。
【図１５】図１５は、図１３のゴルフヘッドカバー本体６１の概略側面図である。
【図１６】図１６は、図１３のゴルフヘッドカバー本体６１の概略背面図である。
【図１７】図１７はピエロキャラクターの実際の商品の図面代用写真である。
【図１８】図１８はピエロキャラクターの実際の商品の図面代用写真である。
【図１９】図１９は本考案に係るゴルフヘッドカバーを、くまキャラクターに実際に適用したその他の実施例を示す図面代用写真である。（実施例１０）
【図２０】図２０は図１９の部分拡大図面代用写真である。
【考案を実施するための形態】
【０００９】
ゴルフヘッドカバー内部に、少なくともゴルフヘッドが収容可能な収納空洞部と、この収納空洞部の内部周面部に袋部を形成し、その袋部内に柔軟材を封入可能とした。
【実施例１】
【００１０】
図１は、本考案に係るゴルフヘッドカバーを動物キャラクター（くま）に適用した一実施例の正面図、図２は、その両腕を省略した概略断面図である。図３は、実際の商品の図面代用写真である。図において、本考案に係るゴルフヘッドカバー本体１は、頭部２、胴部３、両腕部４、筒状部５の各パーツはすべて手編みにより作成している。図２の断面図に示されるように、ゴルフヘッドカバー本体１内部には、ゴルフクラブ６のヘッド７およびヘッド７に続くシャフト８の先端部８ａが収納可能なヘッド・シャフト収納空洞部９が設けられ、この実施例においては、頭部３にヘッド７が、また胴部３および筒状部５にシャフト先端部８ａを収納可能としている。
そして、上記ゴルフヘッドカバー本体１内において、上記ヘッド・シャフト収納空洞部９の周囲部１０に袋部１１を形成し、その袋部１１内にウレタンフォーム１２を封入している。
【実施例２】
【００１１】
図４は、本考案に係るゴルフヘッドカバーを、同様に動物キャラクター（うさぎ）に適用した別の実施例を示し、ゴルフヘッドカバー本体２１の内部にはゴルフクラブ２２のヘッド２３およびヘッド２３に続くシャフト２４の先端部２４ａが収納可能なヘッド・シャフト収納空洞部２５が設けられ、この実施例においては、胴部２６にヘッド２３を、また筒状部２７にシャフト先端部２４ａを収納可能としている。
そして、ゴルフヘッドカバー本体２１の内部において、上記ヘッド・シャフト収納空洞部２５の周囲部２８に袋部２９を形成し、その袋部２９内にウレタンフォーム３０を封入している。
【実施例３】
【００１２】
図５は、本考案に係るゴルフヘッドカバーを動物キャラクター（うさぎ）に適用したその他の実施例の正面図、図６は、その両腕を省略した概略断面図である。図７は、実際の商品の図面代用写真である。図において、本考案に係るゴルフヘッドカバー本体３１は、頭部３２、胴部３３、両腕部３４、筒状部３５の各パーツはすべて手編みにより作成している。図２の断面図に示されるように、ゴルフヘッドカバー本体３１の内部にはゴルフクラブ３６のヘッド３７およびヘッド３７に続くシャフト３８の先端部３８ａが収納可能なヘッド・シャフト収納空洞部３９が設けられ、この実施例においては、頭部３３にヘッド３７が、また胴部３３および筒状部３５にシャフト先端部３８ａを収納可能としている。
そして、ゴルフヘッドカバー本体３１内において、上記ヘッド・シャフト収納空洞部３９の周囲部４０に袋部４１を形成し、その袋部４１内にウレタンフォーム４２を封入している。
【実施例４】
【００１３】
図８は本考案に係るゴルフヘッドカバーを、同様に動物キャラクター（うさぎ）に適用した別の実施例を示し、ゴルフヘッドカバー本体５１の内部にはゴルフクラブ５２のヘッド５３およびヘッド５３に続くシャフト５４の先端部５４ａが収納可能なヘッド・シャフト収納空洞部５５が設けられ、この実施例においては、胴部５６にヘッド５３を、また筒状部５７にシャフト先端部５４ａを収納可能としている。
そして、ゴルフヘッドカバー本体５１の内部において、上記ヘッド・シャフト収納空洞部５５の周囲部５８に袋部５９を形成し、その袋部５９内にウレタンフォーム６０を封入している。
【実施例５】
【００１４】
図９は、本考案に係るゴルフヘッドカバーを、ネクタイをしたうさぎキャラクターに適用した実施例を示す図面代用写真である。
【実施例６】
【００１５】
図１０は、本考案に係るゴルフヘッドカバーを、ライオンキャラクターに実際に適用したその他の実施例を示す図面代用写真である。
【実施例７】
【００１６】
図１１は、本考案に係るゴルフヘッドカバーを、くまキャラクターに実際に適用したその他の実施例を示す図面代用写真である。
【実施例８】
【００１７】
図１２は、本考案に係るゴルフヘッドカバーを、うさぎキャラクターに実際に適用したその他の実施例を示す図面代用写真である。
【００１８】
筒状部はリブ状に手縫いとして外観の見栄えを良くしている。
【実施例９】
【００１９】
図１３は本考案に係るゴルフヘッドカバーを、同様にピエロキャラクターに適用したその他の実施例を示し、ゴルフヘッドカバー本体６１の内部にはゴルフクラブ６２のヘッド６３が収納可能なヘッド収納空洞部６４が設けられている。
そして、ゴルフヘッドカバー本体６１の内部において、上記ヘッド収納空洞部６４の周囲部６５に袋部６６を形成し、その袋部６６内にウレタンフォーム６７を封入している。
【００２０】
図１４は、図１３のゴルフヘッドカバー本体６１の正面図、図１５は、図１３のゴルフヘッドカバー本体６１の側面図、図１６は、図１３のゴルフヘッドカバー本体６１の背面図、図１７および図１８はピエロキャラクターの実際の商品の図面代用写真である。
【実施例１０】
【００２１】
図１９は、本考案に係るゴルフヘッドカバーを、くまキャラクター７１に実際に適用したその他の実施例を示す図面代用写真、図２０は図１９の部分拡大図面代用写真である。くまキャラクター７１の胸に配した手編みのブローチ７２がブローチピン（図示しない）により取り付け自在となっているとともに、マーカー７３の裏面に取り付けたマグネット（図示しない）とブローチ７２に取り付けたマグネット（手編みカバーが施されている）７４により、マーカー７３をブローチ７２に着脱自在としている。
【００２２】
尚、上記実施例においては、柔軟材層としてヘッド・シャフト収納空洞部の周囲部に袋部を形成し、その袋部内にウレタンフォームを封入したが、柔軟材層はこの構造に限定されることなく、本考案を適用したキャラクターに立体形状、質感を与えるものであればどのような構造の柔軟材層であってもよい。周囲部のどこに配置するかについても任意に選択できる。また、素材についてもこの実施例ではウレタンフォームを使用したが、収納時に接触してもゴルフヘッドを傷つけることなく収納できる素材であればどのような素材でもよい。たとえば軽量で雨に濡れても乾きやすい、あるいは撥水性の柔軟材を選べば雨中でのプレーの携行に便利である。そしてまた、上記実施例ではウッド用としたが、アイアン用やパター用にも適用できることは勿論である。さらに、上記実施例では動物キャラクターに適用したが、適用対象には限定されない。またキャラクターに適用する場合にも動物、人間に限らずキャラクター化されるどのような対象にも適用してもよい。
【産業上の利用可能性】
【００２３】
本考案のゴルフヘッドカバーは、その内部に少なくともゴルフヘッドが収容可能な収納空洞部と、この収納空洞部の周囲部に柔軟材層を設けるものであるから、外部からの衝撃に対してゴルフヘッドを守ることができる上に、動物、人物、漫画等の各種のキャラクターを適用しても重量感、質感に溢れ、さらに手編みとすれば複雑なパーツのキャラクターでも編むことができ、編んだ人の個性が発揮され、独特の趣を醸し出すことができる。
【符号の説明】
【００２４】
１    ゴルフヘッドカバー本体
２    頭部
３    胴部
４    両腕部
５    筒状部
６    ゴルフクラブ
７    ゴルフヘッド
８    シャフト
９    ヘッド・シャフト収納空洞部
１０    周囲部
１１    袋部
１２    ウレタンフォーム
２１    ゴルフヘッドカバー本体
２２    ゴルフクラブ
２３    ヘッド
２４    シャフト
２５    ヘッド・シャフト収納空洞部
２６    胴部
２７    筒状部
２８    周囲部
２９    袋部
３０    ウレタンフォーム
３１    ゴルフヘッドカバー本体
３２    頭部
３３    胴部
３４    両腕部
３５    筒状部
３６    ゴルフクラブ
３７    ゴルフヘッド
３８    シャフト
３９    ヘッド・シャフト収納空洞部
４０    周囲部
４１    袋部
４２    ウレタンフォーム
５１    ゴルフヘッドカバー本体
５２    ゴルフクラブ
５３    ヘッド
５４    シャフト
５５    ヘッド・シャフト収納空洞部
５６    胴部
５７    筒状部
５８    周囲部
２９    袋部
６０    ウレタンフォーム
６１    ゴルフヘッドカバー本体
６２    ゴルフクラブ
６３    ヘッド
６４    ヘッド収納空洞部
６５    周囲部
６６    袋部
６７    ウレタンフォーム
７１  くまキャラクター
７２  ブローチ
７３  マーカー
７４  マグネット
【図１】
0003157672.tif 000003
【図２】
0003157672.tif 000004
【図３】
0003157672.tif 000005
【図４】
0003157672.tif 000006
【図５】
0003157672.tif 000007
【図６】
0003157672.tif 000008
【図７】
0003157672.tif 000009
【図８】
0003157672.tif 000010
【図９】
0003157672.tif 000011
【図１０】
0003157672.tif 000012
【図１１】
0003157672.tif 000013
【図１２】
0003157672.tif 000014
【図１３】
0003157672.tif 000015
【図１４】
0003157672.tif 000016
【図１５】
0003157672.tif 000017
【図１６】
0003157672.tif 000018
【図１７】
0003157672.tif 000019
【図１８】
0003157672.tif 000020
【図１９】
0003157672.tif 000021
【図２０】
0003157672.tif 000022